(57)【要約】本発明は、複数の運営体制のイメージを保存する保存モジュールと、ユーザ装置と通信するための通信モジュールと、前記通信モジュールを介して前記ユーザ装置からＬＡＮブーティング開始要請メッセージを受信すると、ユーザ装置の情報によって前記複数の運営体制のうち前記ユーザ装置で使用可能な運営体制のイメージを選択して、前記通信モジュールを介して選択された運営体制のイメージを伝送するＬＡＮブーティング管理モジュールを含むことを特徴とする中央サーバーと、これに対応するユーザ装置と、このような装置のＬＡＮブーティング環境基盤ファイルセキュリティおよび中央化のための方法並びにこの方法を行うためのプログラムが記録されたコンピュータ読み取り可能な記録媒体を提供する。【選択図】  図２
2021513162.tif 000002
【特許請求の範囲】
【請求項１】
ＬＡＮブーティング環境基盤ファイルセキュリティおよび中央化のための中央サーバーにおいて、
複数の運営体制のイメージを保存する保存モジュールと、
ユーザ装置と通信するための通信モジュールと、
前記通信モジュールを介して前記ユーザ装置からＬＡＮブーティング開始要請メッセージを受信すると、ユーザ装置の情報によって前記複数の運営体制のうち前記ユーザ装置で使用可能な運営体制のイメージを選択して、前記通信モジュールを介して選択された運営体制のイメージを伝送するＬＡＮブーティング管理モジュールと、を含むことを特徴とする中央サーバー。
【請求項２】
前記保存モジュールは、前記ユーザ装置がプログラムリストに属するアプリケーションの機能のうち情報が流出する機能を遮断するようにする前記プログラムリスト、および前記ユーザ装置が拡張子リストに含まれた拡張子を有するファイルの情報が流出することを遮断するようにする前記拡張子リストのうち少なくとも一つを含み、
前記中央サーバーは、
前記ユーザ装置からセキュリティリスト要請メッセージを前記通信モジュールを介して受信すると、前記ユーザ装置に対応する前記プログラムリストおよび前記拡張子リストのうち少なくとも一つを前記通信モジュールを介して前記ユーザ装置に伝送するファイル中央化管理モジュールをさらに含むことを特徴とする請求項１に記載の中央サーバー。
【請求項３】
前記保存モジュールは、複数のネットワークディスクを含み、
前記中央サーバーは、
前記通信モジュールを介して前記ユーザ装置から保存領域要請メッセージを受信すると、前記複数のネットワークディスクのうち利用可能なネットワークディスクを割り当て、前記割り当てられたネットワークディスクのリンクを前記通信モジュールを介して前記ユーザ装置に伝送し、前記割り当てられたネットワークディスクのリンクを介してユーザ装置と連結して前記割り当てられたネットワークディスクに前記ユーザ装置で生成されたファイルが保存されるようにするファイル中央化管理モジュールをさらに含むことを特徴とする請求項１に記載の中央サーバー。
【請求項４】
前記ファイル中央化管理モジュールは
前記ネットワークディスクに保存されたファイルに対してバージョンを異ならせて所定の周期でバックアップし、前記ネットワークディスクに保存されたファイルが削除または変調される場合、削除または変調されたファイルを以前のバージョンのファイルに復旧あるいは復元することを特徴とする請求項３に記載の中央サーバー。
【請求項５】
ＬＡＮブーティング環境基盤ファイルセキュリティおよび中央化のためのユーザ装置において、
中央サーバーと通信するための通信部と、
前記中央サーバーから前記通信部を介して運営体制のイメージを受信すると、受信された運営体制のイメージでブーティングを行うＬＡＮブーティング支援モジュールと、
前記ブーティングが完了した後、前記通信部を介してプログラムリストおよび拡張子リストのうち少なくとも一つを受信すると、前記プログラムリストに属するアプリケーションの機能のうち情報が流出する機能を遮断するか、前記拡張子リストに含まれた拡張子を有するファイルの情報が流出することを遮断するローカル保存防止モジュールと、を含むことを特徴とするユーザ装置。
【請求項６】
前記ローカル保存防止モジュールは、
前記プログラムリストに含まれたアプリケーションのファイルあるいは前記拡張子リストに含まれた拡張子を有するファイルがネットワーク保存領域以外の領域に保存されることを遮断するか、
前記プログラムリストに含まれたアプリケーションあるいは前記拡張子リストに含まれた拡張子を有するファイルに対するクリップボードコピーおよびスクリーンキャプチャーを遮断するか、
前記プログラムリストに含まれたアプリケーションがファイルあるいはファイルのリンクを添付又は伝送する機能を遮断するか、
前記拡張子リストに含まれた拡張子を有するファイルあるいはファイルのリンクが添付又は伝送されることを遮断することを特徴とする請求項５に記載のユーザ装置。
【請求項７】
前記ローカル保存防止モジュールは、
カーネルモードでファイルＩ／Ｏフィルタリングを行って、前記プログラムリストに含まれたアプリケーションの機能を通した情報流出を遮断するか、前記拡張子リストに含まれた拡張子を有するファイルの情報流出を遮断することを特徴とする請求項５に記載のユーザ装置。
【請求項８】
前記ブーティングが完了した後、前記通信部を介して前記中央サーバーからネットワークディスクのリンクを受信すると、前記受信されたネットワークディスクのリンクを介してネットワークディスクに連結して、前記ユーザ装置で生成されたファイルが連結されたネットワークディスクに保存されるようにするネットワークドライバー連結モジュールをさらに含むことを特徴とする請求項５に記載のユーザ装置。
【請求項９】
前記ネットワークドライバー連結モジュールは、
前記ネットワークドライバー連結モジュール専用の分散ファイルシステムが適用されたネットワークディスクと連結することを特徴とする請求項８に記載のユーザ装置。
【請求項１０】
中央サーバーのＬＡＮブーティング環境基盤ファイルセキュリティおよび中央化のための方法において、
ユーザ装置からＬＡＮブーティング開始要請メッセージを受信する段階と、
ユーザ装置の情報によって複数の運営体制のうち前記ユーザ装置で使用可能な運営体制のイメージを選択する段階と、
前記選択された運営体制のイメージを前記ユーザ装置に伝送する段階と、を含むことを特徴とする方法。
【請求項１１】
前記伝送する段階の後に、
前記ユーザ装置からセキュリティリスト要請メッセージを受信すると、前記ユーザ装置がプログラムリストに属するアプリケーションの機能のうち情報が流出する機能を遮断するか、前記ユーザ装置が拡張子リストに含まれた拡張子を有するファイルの情報が流出することを遮断するように、前記プログラムリストおよび前記拡張子リストのうち少なくとも一つを前記ユーザ装置に伝送する段階をさらに含むことを特徴とする請求項１０に記載の方法。
【請求項１２】
前記伝送する段階の後に、
前記ユーザ装置から保存領域要請メッセージを受信すると、
前記複数のネットワークディスクのうち利用可能なネットワークディスクを割り当て、前記割り当てられたネットワークディスクのリンクを前記ユーザ装置に伝送する段階と、
前記割り当てられたネットワークディスクに前記ユーザ装置で生成されたファイルが保存されるように前記割り当てられたネットワークディスクのリンクを介してユーザ装置と連結する段階と、をさらに含むことを特徴とする請求項１０に記載の方法。
【請求項１３】
前記連結する段階の後に、
前記ネットワークディスクに保存されたファイルに対してバージョンを異ならせて所定の周期でバックアップする段階と、
前記ネットワークディスクに保存されたファイルが削除または変調される場合、削除または変調されたファイルを以前のバージョンのファイルに復旧あるいは復元する段階と、をさらに含むことを特徴とする請求項１２に記載の方法。
【請求項１４】
ユーザ装置のＬＡＮブーティング環境基盤ファイルセキュリティおよび中央化のための方法において、
中央サーバーから運営体制のイメージを受信する段階と、
前記受信された運営体制のイメージでブーティングを行う段階と、
前記ブーティングが完了した後、プログラムリストおよび拡張子リストのうち少なくとも一つを受信する段階と、
前記プログラムリストに属するアプリケーションの機能のうち情報が流出する機能を遮断するか、前記拡張子リストに含まれた拡張子を有するファイルの情報が流出することを遮断する段階と、を含むことを特徴とする方法。
【請求項１５】
前記遮断する段階は、
前記プログラムリストに含まれたアプリケーションのファイルあるいは前記拡張子リストに含まれた拡張子を有するファイルがネットワーク保存領域以外の領域に保存されることを遮断するか、
前記プログラムリストに含まれたアプリケーションあるいは前記拡張子リストに含まれた拡張子を有するファイルに対するクリップボードコピーおよびスクリーンキャプチャーを遮断するか、
前記プログラムリストに含まれたアプリケーションがファイルあるいはファイルのリンクを添付又は伝送する機能を遮断するか、
前記拡張子リストに含まれた拡張子を有するファイルあるいはファイルのリンクが添付又は伝送されることを遮断することを特徴とする請求項１４に記載の方法。
【請求項１６】
前記遮断する段階は、
カーネルモードでファイルＩ／Ｏフィルタリングを行って、前記プログラムリストに含まれたアプリケーションの機能を通した情報流出を遮断するか、前記拡張子リストに含まれた拡張子を有するファイルの情報流出を遮断することを特徴とする請求項１４に記載の方法。
【請求項１７】
前記ブーティングを行う段階の後に、
前記中央サーバーからネットワークディスクのリンクを受信する段階と、
前記受信されたネットワークディスクのリンクを介してネットワークディスクに連結する段階と、
前記ユーザ装置でファイルが生成されると、前記生成されたファイルを前記連結されたネットワークディスクに保存する段階と、をさらに含むことを特徴とする請求項１４に記載の方法。
【請求項１８】
前記連結する段階は、
ネットワークファイルシステムドライバーであるネットワークドライバー連結モジュールを設置して、前記ネットワークドライバー連結モジュール専用の分散ファイルシステムが適用されたネットワークディスクと連結することを特徴とする請求項１７に記載の方法。
【請求項１９】
請求項１０〜１３のいずれか一項に記載の中央サーバーのＬＡＮブーティング環境基盤ファイルセキュリティおよび中央化のための方法を行うためのプログラムが記録されたコンピュータ読み取り可能な記録媒体。
【請求項２０】
請求項１４〜１８のいずれか一項に記載のユーザ装置のＬＡＮブーティング環境基盤ファイルセキュリティおよび中央化のための方法を行うためのプログラムが記録されたコンピュータ読み取り可能な記録媒体。
【発明の詳細な説明】
【技術分野】
【０００１】
本発明は、ファイルセキュリティおよび中央化技術に関し、より詳細には、ＬＡＮブーティング環境基盤ファイルセキュリティおよび中央化のための装置、このための方法およびこの方法を行うためのプログラムが記録されたコンピュータ読み取り可能な記録媒体に関する。
【背景技術】
【０００２】
企業で生産流通するすべてのファイルを体系的に管理してセキュリティを強化し、協業を容易に行う企業コンテンツ管理（ＥＣＭ，Ｅｎｔｅｒｐｒｉｓｅ  Ｃｏｎｔｅｎｔｓ  Ｍａｎａｇｅｍｅｎｔ）概念が強化されている。ランサムウェア（ｒａｎｓｏｍ  ｗａｒｅ）は、パソコンに保存した文書と写真などファイルを無断で暗号化して、これを開くことができないようにする悪性プログラムであって、これを解除する代価として金銭を要求し、最近収益性の最大化のために企業を狙った標的型ランサムウェア攻撃が登場するなど手法が進化している。
【先行技術文献】
【特許文献】
【０００３】
【特許文献１】韓国特許公開第２０１１−０１１２００２号、２０１１年１０月１２日公開（名称：文書管理システムでの文書中央化方法）
【発明の概要】
【発明が解決しようとする課題】
【０００４】
本発明の目的は、ＬＡＮブーティングを行った後、実行されるアプリケーションおよびファイルを中央化してファイルあるいは当該ファイルに対する情報が外部に流出を防止し、あるいはローカル化したファイルに対する攻撃を未然に防止できる装置、このための方法およびこの方法を行うためのプログラムが記録されたコンピュータ読み取り可能な記録媒体を提供することにある。
【課題を解決するための手段】
【０００５】
上述したような目的を達成するための本発明の好ましい実施形態に係るＬＡＮブーティング環境基盤ファイルセキュリティおよび中央化のための中央サーバーは、複数の運営体制イメージを保存する保存モジュールと、ユーザ装置と通信するための通信モジュールと、前記通信モジュールを介して前記ユーザ装置からＬＡＮブーティング開始要請メッセージを受信すると、ユーザ装置の情報によって前記複数の運営体制のうち前記ユーザ装置で使用可能な運営体制イメージを選択して、前記通信モジュールを介して選択された運営体制イメージを伝送するＬＡＮブーティング管理モジュールと、を含む。
【０００６】
前記保存モジュールは、前記ユーザ装置がプログラムリストに属するアプリケーションの機能のうち情報が流出する機能を遮断するようにする前記プログラムリストと、前記ユーザ装置が拡張子リストに含まれた拡張子を有するファイルの情報が流出することを遮断するようにする前記拡張子リストのうち少なくとも一つを含む。これに伴い、前記中央サーバーは、前記通信モジュールを介して前記ユーザ装置からセキュリティリスト要請メッセージを受信すると、前記ユーザ装置に対応する前記プログラムリストおよび前記拡張子リストのうち少なくとも一つを前記通信モジュールを介して前記ユーザ装置に伝送するファイル中央化管理モジュールをさらに含む。
【０００７】
前記保存モジュールは、複数のネットワークディスクを含むことを特徴とする。これに伴い、前記中央サーバーは、前記通信モジュールを介して前記ユーザ装置から保存領域要請メッセージを受信すると、前記複数のネットワークディスクのうち利用可能なネットワークディスクを割り当て、前記割り当てられたネットワークディスクのリンクを前記通信モジュールを介して前記ユーザ装置に伝送し、前記割り当てられたネットワークディスクのリンクを介してユーザ装置と連結して前記割り当てられたネットワークディスクに前記ユーザ装置で生成されたファイルが保存されるようにするファイル中央化管理モジュールをさらに含む。
【０００８】
前記ファイル中央化管理モジュールは、前記ネットワークディスクに保存されたファイルに対してバージョンを異ならせて所定の周期でバックアップし、前記ネットワークディスクに保存されたファイルが削除または変調される場合、削除または変調されたファイルを以前のバージョンのファイルに復旧あるいは復元することを特徴とする。
【０００９】
上述したような目的を達成するための本発明の好ましい実施形態に係るＬＡＮブーティング環境基盤ファイルセキュリティおよび中央化のためのユーザ装置は、中央サーバーと通信するための通信部と、前記中央サーバーから前記通信部を介して運営体制イメージを受信すると、受信された運営体制イメージでブーティングを行うＬＡＮブーティング支援モジュールと、前記ブーティングが完了した後、前記通信部を介してプログラムリストおよび拡張子リストのうち少なくとも一つを受信すると、前記プログラムリストに属するアプリケーションの機能中情報が流出する機能を遮断するか、前記拡張子リストに含まれた拡張子を有するファイルの情報が流出することを遮断するローカル保存防止モジュールと、を含む。
【００１０】
前記ローカル保存防止モジュールは、前記プログラムリストに含まれたアプリケーションのファイルあるいは前記拡張子リストに含まれた拡張子を有するファイルがネットワーク保存領域以外の領域に保存されることを遮断するか、前記プログラムリストに含まれたアプリケーションあるいは前記拡張子リストに含まれた拡張子を有するファイルに対するクリップボードコピーおよびスクリーンキャプチャーを遮断するか、前記プログラムリストに含まれたアプリケーションがファイルあるいはファイルのリンクを添付または伝送する機能を遮断するか、前記拡張子リストに含まれた拡張子を有するファイルあるいはファイルのリンクが添付または伝送されることを遮断することを特徴とする。
【００１１】
前記ローカル保存防止モジュールは、カーネルモードでファイルＩ／Ｏフィルタリングを行って、前記プログラムリストに含まれたアプリケーションの機能を通した情報流出および前記拡張子リストに含まれた拡張子を有するファイルの情報流出を遮断することを特徴とする。
【００１２】
前記ユーザ装置は、前記ブーティングが完了した後、前記通信部を介して前記中央サーバーからネットワークディスクのリンクを受信すると、前記受信されたネットワークディスクのリンクを介してネットワークディスクに連結して、前記ユーザ装置で生成されたファイルが連結されたネットワークディスクに保存されるようにするネットワークドライバー連結モジュールをさらに含む。
【００１３】
前記ネットワークドライバー連結モジュールは、前記ネットワークドライバー連結モジュール専用の分散ファイルシステムが適用されたネットワークディスクと連結することを特徴とする。
【００１４】
上述した目的を達成するための本発明の好ましい実施形態に係る中央サーバーのＬＡＮブーティング環境基盤ファイルセキュリティおよび中央化のための方法は、ユーザ装置からＬＡＮブーティング開始要請メッセージを受信する段階と、ユーザ装置の情報によって複数の運営体制のうち前記ユーザ装置で使用可能な運営体制イメージを選択する段階と、前記選択された運営体制イメージを前記ユーザ装置に伝送する段階と、を含む。
【００１５】
前記方法は、前記伝送する段階の後に、前記ユーザ装置からセキュリティリスト要請メッセージを受信すると、前記ユーザ装置がプログラムリストに属するアプリケーションの機能のうち情報が流出する機能を遮断するか、前記ユーザ装置が拡張子リストに含まれた拡張子を有するファイルの情報が流出することを遮断するように、前記プログラムリストおよび前記拡張子リストのうち少なくとも一つを前記ユーザ装置に伝送する段階をさらに含む。
【００１６】
前記方法は、前記伝送する段階の後に、前記ユーザ装置から保存領域要請メッセージを受信すると、前記複数のネットワークディスクのうち利用可能なネットワークディスクを割り当て、前記割り当てられたネットワークディスクのリンクを前記ユーザ装置に伝送する段階と、前記割り当てられたネットワークディスクに前記ユーザ装置で生成されたファイルが保存されるように、前記割り当てられたネットワークディスクのリンクを介してユーザ装置と連結する段階と、をさらに含む。
【００１７】
前記方法は、前記連結する段階の後に、前記ネットワークディスクに保存されたファイルに対してバージョンを異ならせて所定の周期でバックアップする段階と、前記ネットワークディスクに保存されたファイルが削除または変調される場合、削除または変調されたファイルを以前のバージョンのファイルに復旧あるいは復元する段階と、をさらに含む。
【００１８】
上述したような目的を達成するための本発明の好ましい実施形態に係るユーザ装置のＬＡＮブーティング環境基盤ファイルセキュリティおよび中央化のための方法は、中央サーバーから運営体制イメージを受信する段階と、前記受信された運営体制イメージでブーティングを行う段階と、前記ブーティングが完了した後、プログラムリストおよび拡張子リストのうち少なくとも一つを受信する段階と、前記プログラムリストに属するアプリケーションの機能のうち情報が流出する機能を遮断するか、前記拡張子リストに含まれた拡張子を有するファイルの情報が流出することを遮断する段階と、を含む。
【００１９】
前記遮断する段階は、前記プログラムリストに含まれたアプリケーションのファイルあるいは前記拡張子リストに含まれた拡張子を有するファイルがネットワーク保存領域以外の領域に保存されることを遮断するか、前記プログラムリストに含まれたアプリケーションあるいは前記拡張子リストに含まれた拡張子を有するファイルに対するクリップボードコピーおよびスクリーンキャプチャーを遮断するか、前記プログラムリストに含まれたアプリケーションがファイルあるいはファイルのリンクを添付、伝送する機能を遮断するか、前記拡張子リストに含まれた拡張子を有するファイルあるいはファイルのリンクが添付、伝送されることを遮断することを特徴とする。
【００２０】
前記遮断する段階は、カーネルモードでファイルＩ／Ｏフィルタリングを行って、前記プログラムリストに含まれたアプリケーションの機能を通した情報流出および前記拡張子リストに含まれた拡張子を有するファイルの情報流出を遮断することを特徴とする。
【００２１】
前記ブーティングを行う段階の後に、前記中央サーバーからネットワークディスクのリンクを受信する段階と、前記受信されたネットワークディスクのリンクを介してネットワークディスクに連結する段階と、前記ユーザ装置でファイルが生成されると、前記生成されたファイルを前記連結されたネットワークディスクに保存する段階と、をさらに含む。
【００２２】
前記連結する段階は、ネットワークファイルシステムドライバーであるネットワークドライバー連結モジュールを設置して、前記ネットワークドライバー連結モジュール専用の分散ファイルシステムが適用されたネットワークディスクと連結することを特徴とする。
【００２３】
また、上述したような目的を達成するための本発明の実施形態に係る中央サーバーのＬＡＮブーティング環境基盤ファイルセキュリティおよび中央化のための方法を行うためのプログラムが記録されたコンピュータ読み取り可能な記録媒体を提供する。
【００２４】
また、上述したような目的を達成するための本発明の実施形態に係るユーザ装置のＬＡＮブーティング環境基盤ファイルセキュリティおよび中央化のための方法を行うためのプログラムが記録されたコンピュータ読み取り可能な記録媒体を提供する。
【発明の効果】
【００２５】
本発明によれば、ユーザ装置で生成されるファイルをローカルに保存せず、セキュリティが維持される中央サーバーのネットワーク保存領域、すなわち、ネットワークディスクに保存されるようにして、会社の機密事項が流出することを基本的に遮断することができる。
【図面の簡単な説明】
【００２６】
【図１】本発明の実施形態に係るＬＡＮブーティング環境基盤ファイルセキュリティおよび中央化のためのシステムの構成を説明するための図である。
【図２】本発明の実施形態に係るＬＡＮブーティング環境基盤ファイルセキュリティおよび中央化のための中央サーバーの構成を説明するためのブロック図である。
【図３】本発明の実施形態に係るＬＡＮブーティング環境基盤ファイルセキュリティおよび中央化のためのユーザ装置の構成を説明するためのブロック図である。
【図４】本発明の実施形態に係るＬＡＮブーティング環境基盤ファイルセキュリティおよび中央化のための方法を説明するための流れ図である。
【図５】本発明の実施形態に係るＬＡＮブーティング環境基盤ファイルセキュリティおよび中央化のための方法を説明するための画面例である。
【発明を実施するための形態】
【００２７】
上述したような目的を達成するための本発明の好ましい実施形態に係るＬＡＮブーティング環境基盤ファイルセキュリティおよび中央化のための中央サーバーは、複数の運営体制イメージを保存する保存モジュールと、ユーザ装置と通信するための通信モジュールと、前記通信モジュールを介して前記ユーザ装置からＬＡＮブーティング開始要請メッセージを受信すると、ユーザ装置の情報によって前記複数の運営体制のうち前記ユーザ装置で使用可能な運営体制イメージを選択して、前記通信モジュールを介して選択された運営体制イメージを伝送するＬＡＮブーティング管理モジュールと、を含む。
【００２８】
前記保存モジュールは、前記ユーザ装置がプログラムリストに属するアプリケーションの機能のうち情報が流出する機能を遮断するようにする前記プログラムリストと、前記ユーザ装置が拡張子リストに含まれた拡張子を有するファイルの情報が流出することを遮断するようにする前記拡張子リストのうち少なくとも一つを含む。これに伴い、前記中央サーバーは、前記通信モジュールを介して前記ユーザ装置からセキュリティリスト要請メッセージを受信すると、前記ユーザ装置に対応する前記プログラムリストおよび前記拡張子リストのうち少なくとも一つを前記通信モジュールを介して前記ユーザ装置に伝送するファイル中央化管理モジュールをさらに含む。
【００２９】
前記保存モジュールは、複数のネットワークディスクを含むことを特徴とする。これに伴い、前記中央サーバーは、前記通信モジュールを介して前記ユーザ装置から保存領域要請メッセージを受信すると、前記複数のネットワークディスクのうち利用可能なネットワークディスクを割り当て、前記割り当てられたネットワークディスクのリンクを前記通信モジュールを介して前記ユーザ装置に伝送し、前記割り当てられたネットワークディスクのリンクを介してユーザ装置と連結して、前記割り当てられたネットワークディスクに前記ユーザ装置で生成されたファイルが保存されるようにするファイル中央化管理モジュールをさらに含む。
【００３０】
前記ファイル中央化管理モジュールは、前記ネットワークディスクに保存されたファイルに対してバージョンを異ならせて所定の周期でバックアップし、前記ネットワークディスクに保存されたファイルが削除または変調される場合、削除または変調されたファイルを以前のバージョンのファイルに復旧あるいは復元することを特徴とする。
【００３１】
上述したような目的を達成するための本発明の好ましい実施形態に係るＬＡＮブーティング環境基盤ファイルセキュリティおよび中央化のためのユーザ装置は、中央サーバーと通信するための通信部と、前記中央サーバーから前記通信部を介して運営体制イメージを受信すると、受信された運営体制イメージでブーティングを行うＬＡＮブーティング支援モジュールと、前記ブーティングが完了した後、前記通信部を介してプログラムリストおよび拡張子リストのうち少なくとも一つを受信すると、前記プログラムリストに属するアプリケーションの機能のうち情報が流出する機能を遮断するか、前記拡張子リストに含まれた拡張子を有するファイルの情報が流出することを遮断するローカル保存防止モジュールと、を含む。
【００３２】
前記ローカル保存防止モジュールは、前記プログラムリストに含まれたアプリケーションのファイルあるいは前記拡張子リストに含まれた拡張子を有するファイルがネットワーク保存領域以外の領域に保存されることを遮断するか、前記プログラムリストに含まれたアプリケーションあるいは前記拡張子リストに含まれた拡張子を有するファイルに対するクリップボードコピーおよびスクリーンキャプチャーを遮断するか、前記プログラムリストに含まれたアプリケーションがファイルあるいはファイルのリンクを添付または伝送する機能を遮断するか、前記拡張子リストに含まれた拡張子を有するファイルあるいはファイルのリンクが添付または伝送されることを遮断することを特徴とする。
【００３３】
前記ローカル保存防止モジュールは、カーネルモードでファイルＩ／Ｏフィルタリングを行って、前記プログラムリストに含まれたアプリケーションの機能を通した情報流出および前記拡張子リストに含まれた拡張子を有するファイルの情報流出を遮断することを特徴とする。
【００３４】
前記ユーザ装置は、前記ブーティングが完了した後、前記通信部を介して前記中央サーバーからネットワークディスクのリンクを受信すると、前記受信されたネットワークディスクのリンクを介してネットワークディスクに連結して、前記ユーザ装置で生成されたファイルが連結されたネットワークディスクに保存されるようにするネットワークドライバー連結モジュールをさらに含む。
【００３５】
前記ネットワークドライバー連結モジュールは、前記ネットワークドライバー連結モジュール専用の分散ファイルシステムが適用されたネットワークディスクと連結することを特徴とする。
【００３６】
上述したような目的を達成するための本発明の好ましい実施形態に係る中央サーバーのＬＡＮブーティング環境基盤ファイルセキュリティおよび中央化のための方法は、ユーザ装置からＬＡＮブーティング開始要請メッセージを受信する段階と、ユーザ装置の情報によって複数の運営体制のうち前記ユーザ装置で使用可能な運営体制イメージを選択する段階と、前記選択された運営体制イメージを前記ユーザ装置に伝送する段階と、を含む。
【００３７】
前記方法は、前記伝送する段階の後に、前記ユーザ装置からセキュリティリスト要請メッセージを受信すると、前記ユーザ装置がプログラムリストに属するアプリケーションの機能のうち情報が流出する機能を遮断するか、前記ユーザ装置が拡張子リストに含まれた拡張子を有するファイルの情報が流出することを遮断するように、前記プログラムリストおよび前記拡張子リストのうち少なくとも一つを前記ユーザ装置に伝送する段階をさらに含む。
【００３８】
前記方法は、前記伝送する段階の後に、前記ユーザ装置から保存領域要請メッセージを受信すると、前記複数のネットワークディスクのうち利用可能なネットワークディスクを割り当て、前記割り当てられたネットワークディスクのリンクを前記ユーザ装置に伝送する段階と、前記割り当てられたネットワークディスクに前記ユーザ装置で生成されたファイルが保存されるように前記割り当てられたネットワークディスクのリンクを介してユーザ装置と連結する段階とをさらに含む。
【００３９】
前記方法は、前記連結する段階の後に、前記ネットワークディスクに保存されたファイルに対してバージョンを異ならせて所定の周期でバックアップする段階と、前記ネットワークディスクに保存されたファイルが削除または変調される場合、削除または変調されたファイルを以前のバージョンのファイルに復旧あるいは復元する段階とをさらに含む。
【００４０】
上述したような目的を達成するための本発明の好ましい実施形態に係るユーザ装置のＬＡＮブーティング環境基盤ファイルセキュリティおよび中央化のための方法は、中央サーバーから運営体制イメージを受信する段階と、前記受信された運営体制イメージでブーティングを行う段階と、前記ブーティングが完了した後、プログラムリストおよび拡張子リストのうち少なくとも一つを受信する段階と、前記プログラムリストに属するアプリケーションの機能のうち情報が流出する機能を遮断するか、前記拡張子リストに含まれた拡張子を有するファイルの情報が流出することを遮断する段階と、を含む。
【００４１】
前記遮断する段階は、前記プログラムリストに含まれたアプリケーションのファイルあるいは前記拡張子リストに含まれた拡張子を有するファイルがネットワーク保存領域以外の領域に保存されることを遮断するか、前記プログラムリストに含まれたアプリケーションあるいは前記拡張子リストに含まれた拡張子を有するファイルに対するクリップボードコピーおよびスクリーンキャプチャーを遮断するか、前記プログラムリストに含まれたアプリケーションがファイルあるいはファイルのリンクを添付、伝送する機能を遮断するか、前記拡張子リストに含まれた拡張子を有するファイルあるいはファイルのリンクが添付、伝送されることを遮断することを特徴とする。
【００４２】
前記遮断する段階は、カーネルモードでファイルＩ／Ｏフィルタリングを行って、前記プログラムリストに含まれたアプリケーションの機能を通した情報流出および前記拡張子リストに含まれた拡張子を有するファイルの情報流出を遮断することを特徴とする。
【００４３】
前記ブーティングを行う段階の後に、前記中央サーバーからネットワークディスクのリンクを受信する段階と、前記受信されたネットワークディスクのリンクを介してネットワークディスクに連結する段階と、前記ユーザ装置でファイルが生成されると、前記生成されたファイルを前記連結されたネットワークディスクに保存する段階とをさらに含む。
【００４４】
前記連結する段階は、ネットワークファイルシステムドライバーであるネットワークドライバー連結モジュールを設置して、前記ネットワークドライバー連結モジュール専用の分散ファイルシステムが適用されたネットワークディスクと連結することを特徴とする。
【００４５】
また、上述したような目的を達成するための本発明の実施形態に係る中央サーバーのＬＡＮブーティング環境基盤ファイルセキュリティおよび中央化のための方法を行うためのプログラムが記録されたコンピュータ読み取り可能な記録媒体を提供する。
【００４６】
また、上述したような目的を達成するための本発明の実施形態に係るユーザ装置のＬＡＮブーティング環境基盤ファイルセキュリティおよび中央化のための方法を行うためのプログラムが記録されたコンピュータ読み取り可能な記録媒体を提供する。
【００４７】
単語は、通常的や辞書的な意味に限定して解析されるべきものではなく、発明者は、自分の発明を最善の方法で説明するために用語の概念で適切に定義することができるという原則に基づいて本発明の技術的思想に符合する意味や概念と解析されるべきである。したがって、本明細書に記載された実施形態と図面に図示された構成は、本発明の最も好ましい実施形態に過ぎず、本発明の技術的思想を全部代弁するものではないので、本出願時点においてこれらを代替できる多様な均等物と変形例があり得ることを理解しなければならない。
【００４８】
以下、添付の図面を参照して本発明の好ましい実施形態を詳細に説明する。この際、添付の図面において同じ構成要素は、できるだけ同じ符号で示していることを留意しなければならない。また、本発明の要旨を不明にすることができる公知の機能および構成に関する詳細な説明は省略する。同様の理由で、添付の図面において一部の構成要素は誇張されたり省略されたりまたは概略的に図示され、各構成要素のサイズは、実際サイズを全面的に反映するものではない。
【００４９】
まず、本発明の実施形態に係るＬＡＮブーティング環境基盤ファイルセキュリティおよび中央化のためのシステムについて説明することとする。図１は、本発明の実施形態に係るＬＡＮブーティング環境基盤ファイルセキュリティおよび中央化のためのシステムの構成を説明するための図である。図１を参照すると、本発明の実施形態に係るＬＡＮブーティング環境基盤ファイルセキュリティおよび中央化のためのシステムは、中央サーバー１００および複数のユーザ装置２００を含む。
【００５０】
中央サーバー１００および複数のユーザ装置２００は、運営体制（Ｏｐｅｒａｔｉｎｇ  Ｓｙｓｔｅｍ）によりブーティングされ、コンピューティング演算を行う装置である。中央サーバー１００は、アプリケーションサーバーおよびデータベースサーバーの役割を行う少なくとも一つの装置で具現され得る。代表的に、サーバー用コンピュータを例示することができる。ユーザ装置２００は、パーソナルコンピュータを代表的に例示することができる。
【００５１】
中央サーバー１００は、複数のユーザ装置２００それぞれに適合した運営体制イメージ（例えば、ＯＳ  ｉｓｏファイル）を提供し、ユーザ装置２００がＬＡＮブーティングを行うようにする。ＬＡＮブーティングは、ユーザ装置２００の保存装置に保存されて駆動される運営体制でなく、運営体制イメージをユーザ装置２００のプロセス上で駆動させてブーティングすることを意味する。また、中央サーバー１００は、複数のアプリケーションのリストであるプログラムリスト、および／または複数の拡張子のリストである拡張子リストをユーザ装置２００に提供して、ユーザ装置２００で実行されるアプリケーションあるいはファイルの情報が流出しないように遮断する。そして、中央サーバー１００は、セキュリティが維持されるネットワーク保存領域を具備して、ユーザ装置２００それぞれに割り当て、ユーザ装置２００が割り当てられた領域にファイルを保存するようにし、これを管理することによって、情報流出を遮断する。
【００５２】
次に、中央サーバー１００およびユーザ装置２００それぞれの構成について記述することとする。まず、本発明の実施形態に係るＬＡＮブーティング環境基盤ファイルセキュリティおよび中央化のための中央サーバー１００の構成について説明することとする。図２は、本発明の実施形態に係るＬＡＮブーティング環境基盤ファイルセキュリティおよび中央化のための中央サーバーの構成を説明するためのブロック図である。図２を参照すると、本発明の実施形態に係る中央サーバー１００は、通信モジュール１１０、保存モジュール１２０および制御モジュール１３０を含む。
【００５３】
通信モジュール１１０は、ネットワークを介してユーザ装置２００と通信するためのものである。通信モジュール１１０は、制御モジュール１３０の制御によってユーザ装置２００からデータを受信し、あるいはユーザ装置２００にデータを伝送することができる。このような通信モジュール１１０は、ネットワークインターフェースカードになり得る。通信モジュール１１０は、ネットワークを介してデータを送受信するために送信される信号を変調し、受信される信号を復調するモデム（ｍｏｄｅｍ）を含むことができる。このような通信モジュール１１０は、制御モジュール１３０から伝達されたデータ、例えば、フィルタードライバー、ネットワークドライバー、各種リストなどをネットワークを介してユーザ装置２００に伝送することができる。また、通信モジュール１１０は、受信されるデータ、例えば、各種メッセージを制御モジュール１３０に伝達することができる。
【００５４】
保存モジュール１２０は、データベースサーバーの役割を行うものであって、図示されたことによれば、中央サーバー１００に含まれた装置のように図示されたが、独立して分離して具現されることもできる。特に、保存モジュール１２０は、ストレージ仮想化を提供するために、複数の物理的なストレージを含み、複数の物理的なストレージは、各ユーザ装置２００に対応して論理的に区分されて割り当てられうる。
【００５５】
保存モジュール１２０は、中央サーバー１００の動作に必要なデータを保存する役割を行う。保存モジュール１２０は、データベース領域とネットワーク保存領域を含む。データベース領域は、データベースが保存される領域であって、プログラムリスト、および／または拡張子リストを含むデータベースなどが保存される。プログラムリストは、複数のアプリケーションを含む。例えば、ＭＳ社のＷｏｒｄ、Ｅｘｃｅｌ、ＰｏｗｅｒＰｏｉｎｔ、ハングルとコンピュータ社のハングル、ＭＳ社のエクスプローラー、グーグル社のクローム、カカオ社のカカオトークなどプログラムリストに含まれ得る。プログラムリストは、ユーザ装置２００がプログラムリストに属するアプリケーションの機能のうち情報が流出する機能を遮断するようにするためのものである。拡張子リストは、複数の拡張子を含む。例えば、ｄｏｃ、ｈｗｐ、ｘｍｌ、ｊｐｇ、ｐｎｇ等が拡張子リストに含まれ得る。拡張子リストは、ユーザ装置２００が拡張子リストに含まれた拡張子を有するファイルの情報が流出することを遮断するようにするためのものである。
【００５６】
ネットワーク保存領域は、複数のネットワークディスクを含む。制御モジュール１３０のファイル中央化管理モジュール１３３の選択によってユーザ装置２００に複数のネットワークディスクのうち少なくとも一つのディスクが割り当てられうる。複数のネットワークディスクは、物理的に区分される複数の保存媒体、論理的に区分される少なくとも一つの保存媒体および物理的あるいは論理的に区分される少なくとも一つの保存媒体のうちいずれか一つで具現され得る。
【００５７】
また、保存モジュール１２０は、ユーザ装置２００に対応するユーザ装置の情報および複数の運営体制のイメージを保存することができる。そして、保存モジュール１２０は、ＬＡＮブーティング支援モジュール２５１、ローカル保存防止モジュール２５３およびネットワークドライバー連結モジュール２５５を保存する。このようなＬＡＮブーティング支援モジュール２５１、ローカル保存防止モジュール２５３およびネットワークドライバー連結モジュール２５５は、ユーザ装置２００に伝送されてユーザ装置２００に設置される。
【００５８】
制御モジュール１３０は、アプリケーションサーバーの役割を行うものであって、図示されたことによれば、中央サーバー１００に含まれた装置のように図示されたが、独立して分離して具現されることもできる。制御モジュール１３０は、中央サーバー１００の全般的な動作および中央サーバー１００の内部ブロック間の信号フローを制御し、データを処理するデータ処理機能を行うことができる。制御モジュール１３０は、中央処理装置（ｃｅｎｔｒａｌ  ｐｒｏｃｅｓｓｉｎｇ  ｕｎｉｔ）、デジタル信号処理器（ｄｉｇｉｔａｌ  ｓｉｇｎａｌ  ｐｒｏｃｅｓｓｏｒ）等になり得る。このような制御モジュール１３０は、ＬＡＮブーティング管理モジュール１３１およびファイル中央化管理モジュール１３３を含む。
【００５９】
ＬＡＮブーティング管理モジュール１３１は、複数のユーザ装置２００それぞれに適合した運営体制（ＯＳ：Ｏｐｅｒａｔｉｎｇ  Ｓｙｓｔｅｍ）を選択し、これをＬＡＮブーティングするためである。このために、ＬＡＮブーティング管理モジュール１３１は、複数の種類の専用または汎用の運営体制のイメージ（例えば、ＯＳ  ｉｓｏファイル）を管理する。運営体制のイメージは、ユーザ装置２００の保存装置に保存されて駆動される運営体制（Ｏｐｅｒａｔｉｎｇ  Ｓｙｓｔｅｍ）をユーザ装置２００に保存せず、ユーザ装置２００のプロセス上で運営体制を駆動させて使用できるようにする圧縮形態のファイルである。代表的に、拡張子が「ｉｓｏ」である形態のファイルを例示することができる。また、ＬＡＮブーティング管理モジュール１３１は、複数のユーザ装置２００に対して、例えば、ハードウェア規格、使用可能な運営体制、ＩＰなどのようなユーザ装置の情報を管理する。例えば、ユーザ装置の情報は、ユーザ装置２００のＩＰ、ＭＡＣ  Ａｄｄｒｅｓｓなどのアドレス情報および運営体制バージョン、プログラムバージョンなどのバージョン情報を含む。具体的に、ＬＡＮブーティング管理モジュール１３１は、ユーザ装置２００の要請によってユーザ装置２００で駆動可能な運営体制のイメージを選択し、選択された運営体制のイメージを通信モジュール１１０を介してユーザ装置２００に提供する。
【００６０】
ファイル中央化管理モジュール１３３は、情報流出に対するセキュリティのためにユーザ装置２００で実行される特定のアプリケーションあるいは特定の拡張子を有するファイルに対する機能を制限するためのものである。例えば、ファイル中央化管理モジュール１３３は、ユーザ装置２００がネットワーク保存領域以外の空間、例えば、ユーザ装置２００のローカル保存領域にファイルを保存できないように制御することができる。また、ファイル中央化管理モジュール１３３は、保存だけでなく、スクリーンキャプチャー、クリップボードコピー、そしてインターネット接続アプリケーション（エクスプローラー、クローム、ファイアフォックス等）およびメッセンジャープログラム等を通したファイルアップロード、ファイル添付などの機能を行うことができないように制御する。このために、ファイル中央化管理モジュール１３３は、プログラムリストおよび／または拡張子リストをユーザ装置２００に提供する。これに伴い、ファイル中央化管理モジュール１３３は、ユーザ装置２００がプログラムリストに含まれたプログラム（アプリケーション）、および／または拡張子リストに含まれたファイル拡張子を有するファイルを実行するとき、ネットワーク保存領域以外の空間、例えば、ユーザ装置２００のローカル保存領域に保存できないようにし、スクリーンキャプチャー、クリップボードコピー、ファイルアップロード、ファイル添付などの機能を行うことができないように制御する。ネットワーク保存領域は、ファイル中央化管理モジュール１３３が割り当てて提供するセキュリティが適用される中央サーバー１００の保存領域を意味する。ファイル中央化管理モジュール１３３は、ネットワーク保存モジュール１５０にネットワーク保存領域を割り当て、これに対するリンクをユーザ装置２００に提供する。ユーザ装置２００は、ネットワークを介して中央サーバー１００に接続してユーザ装置２００の保存装置の領域、すなわちローカル保存領域でなく、ネットワーク保存領域にファイルを保存する。また、ファイル中央化管理モジュール１３３は、ネットワーク保存領域のみにファイルを保存できるようにユーザ装置２００を制御することができる。このために、ファイル中央化管理モジュール１３３は、ネットワーク保存領域のネットワークディスクのリンクあるいはアドレスをユーザ装置２００に提供する。より詳しくは、ファイル中央化管理モジュール１３３は、ユーザ装置２００が運営体制の検索ツールあるいは専用接続アプリケーションを介して中央サーバー１００のネットワーク保存領域に接続してファイルを管理するようにリンクを提供することができる。ここで、専用接続アプリケーションは、運営体制が基本的に提供する検索ツールを介してアクセスするフォルダおよびディスク形態でなく、直接ネットワーク保存領域にアクセスできる専用アプリケーションを意味する。また、ファイル中央化管理モジュール１３３は、ネットワーク保存領域内保存されたファイルのバージョンを管理してファイルの削除または変調に対する復旧または復元機能を提供する。ファイル中央化管理モジュール１３３は、ネットワークディスクに保存されたファイルに対してバージョンを異ならせて所定の周期あるいは所定のイベントが発生するたびにバックアップすることができる。したがって、ネットワークディスクに保存されたファイルが削除または変調される場合、ファイル中央化管理モジュール１３３は、削除または変調されたファイルを以前の所望のバージョンのファイルに復旧あるいは復元することができる。
【００６１】
次に、本発明の実施形態に係るＬＡＮブーティング環境基盤ファイルセキュリティおよび中央化のためのユーザ装置について説明することとする。図３は、本発明の実施形態に係るＬＡＮブーティング環境基盤ファイルセキュリティおよび中央化のためのユーザ装置の構成を説明するためのブロック図である。図３を参照すると、本発明の実施形態に係るユーザ装置２００は、通信部２１０、入力部２２０、表示部２３０、保存部２４０および制御部２５０を含む。
【００６２】
通信部２１０は、中央サーバー１００と通信するためのものである。このような通信部２１０は、通信のためのネットワークインターフェースカードを含む。通信部２１０は、ネットワークを介してデータを送受信するために送信される信号を変調し、受信される信号を復調するモデム（ｍｏｄｅｍ）を含むことができる。通信部２１０は、制御部２５０からデータを受信して、これを中央サーバー１００に伝送することができる。また、通信部２１０は、中央サーバー１００からデータを受信すると、これを制御部２５０に伝達することができる。
【００６３】
入力部２２０は、ユーザ装置２００の各種機能、動作などを制御するためのユーザのキー操作を入力され、入力信号を生成して、制御部２５０に伝達するためのものである。代表的に、入力部２２０は、マウス、キーボードなどを例示することができる。入力部２２０は、電源ｏｎ／ｏｆｆのための電源キー、文字キー、数字キー、方向キー等の各種キーを含むことができる。入力部２２０の機能は、表示部２３０がタッチスクリーンで具現された場合、表示部２３０で行われ得、表示部２３０のみですべての機能を行うことができる場合、入力部２２０は省略されることもできる。
【００６４】
表示部２３０は、制御部２５０から画面表示のためのデータを受信して、受信されたデータを画面で表示することができる。また、表示部２３０は、ユーザ装置２００のメニュー、データ、機能設定情報およびその他多様な情報をユーザに視覚的に提供することができる。表示部２３０がタッチスクリーンで形成される場合、入力部２２０の機能の一部または全部を代行することができる。表示部２３０は、液晶表示装置（ＬＣＤ，Ｌｉｑｕｉｄ  Ｃｒｙｓｔａｌ  Ｄｉｓｐｌａｙ）、有機発光ダイオード（ＯＬＥＤ，Ｏｒｇａｎｉｃ  Ｌｉｇｈｔ  Ｅｍｉｔｔｉｎｇ  Ｄｉｏｄｅｓ）、能動型有機発光ダイオード（ＡＭＯＬＥＤ，Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅｓ）等で形成され得る。
【００６５】
保存部２４０は、ユーザ装置２００の動作に必要な各種データ、アプリケーション、ユーザ装置２００の動作によって発生した各種データを保存する役割を行う。このような保存部２４０は、ハードディスク、ＳＳＤなどの装置になり得る。また、保存部２４０は、ユーザ装置２００のブーティング（ｂｏｏｔｉｎｇ）および運営（ｏｐｅｒａｔｉｏｎ）のための運営体制（ＯＳ、Ｏｐｅｒａｔｉｎｇ  Ｓｙｓｔｅｍ）を保存することができる。しかしながら、本発明の実施形態に係るＬＡＮブーティングが行われると、保存部２４０に保存された運営体制は使用されない。保存部２４０に保存される各種データは、ユーザの操作によって、削除、変更、追加され得る。しかしながら、本発明の実施形態に係るＬＡＮブーティングが行われると、保存部２４０にデータが保存されず、削除、変更、追加のような動作も行われない。
【００６６】
制御部２５０は、ユーザ装置２００の全般的な動作およびユーザ装置２００の内部ブロック間の信号フローを制御し、データを処理するデータ処理機能を行うことができる。このような制御部２５０は、中央処理装置（Ｃｅｎｔｒａｌ  Ｐｒｏｃｅｓｓｉｎｇ  Ｕｎｉｔ：ＣＰＵ）、アプリケーションプロセッサ（Ａｐｐｌｉｃａｔｉｏｎ  Ｐｒｏｃｅｓｓｏｒ）、ＧＰＵ（Ｇｒａｐｈｉｃ  Ｐｒｏｃｅｓｓｉｎｇ  Ｕｎｉｔ）のうち少なくとも一つのプロセッサを含む。
【００６７】
制御部２５０は、ＬＡＮブーティング支援モジュール２５１、ローカル保存防止モジュール２５３およびネットワークドライバー連結モジュール２５５を含む。以下の実施形態において、ＬＡＮブーティング支援モジュール２５１、ローカル保存防止モジュール２５３およびネットワークドライバー連結モジュール２５５は、ドライバー形式のソフトウェアであり、中央サーバー１００からダウンロードされてユーザ装置２００に設置され、制御部２５０にロードされて動作するものと説明される。しかしながら、代案的な実施形態によれば、ＬＡＮブーティング支援モジュール２５１、ローカル保存防止モジュール２５３およびネットワークドライバー連結モジュール２５５は、ハードウェア、例えば、専用プロセッサで具現されることもできる。
【００６８】
ＬＡＮブーティング支援モジュール２５１は、ＬＡＮブーティングのためのものである。一般的なブーティングが行われると、制御部２５０に運営体制がロードされ、制御部２５０は、運営体制を実行する。しかしながら、本発明の実施形態に係るＬＡＮブーティングが行われると、保存部２４０の運営体制でなく、中央サーバー１００から受信された運営体制のイメージを介してブーティングが行われる。すなわち、制御部２５０のＬＡＮブーティング支援モジュール２５１は、運営体制のイメージを実行させる。
【００６９】
ローカル保存防止モジュール２５３は、通信部２１０を介して中央サーバー１００からプログラムリストおよび／または拡張子リストのうち少なくとも一つを受信し、プログラムリストおよび／または拡張子リストを基にセキュリティ機能を行う。すなわち、ローカル保存防止モジュール２５３は、プログラムリストに含まれたアプリケーションの機能のうち情報を流出できる機能を遮断する。また、ローカル保存防止モジュール２５３は、拡張子リストに含まれた拡張子を有するファイルまたはファイルの情報が流出することを遮断する。このようなローカル保存防止モジュール２５３は、フィルタードライバーの形態で具現されて、カーネルモードでファイル（Ｆｉｌｅ）Ｉ／Ｏ（入力／出力または読み取り／書き込み）フィルタリングを行う。すなわち、ローカル保存防止モジュール２５３は、カーネルモードでファイルＩ／Ｏフィルタリングを行って、プログラムリストに含まれたアプリケーションの機能を通した情報流出および／または拡張子リストに含まれた拡張子を有するファイルの情報流出を遮断する。
【００７０】
ユーザモードフィルタリングの場合、特定のプロセスをフィルタリングするために、コードをプログラムに挿入するインジェクション（ｉｎｊｅｃｔｉｏｎ）が要求される。すなわち、特定のＡＰＩをフィルタリングするためには、ＡＰＩフッキング（ｈｏｏｋｉｎｇ）コードをインジェクションする。このようなインジェクション技術は、具現方式によって制限的なプロセスのみにインジェクションされる可能性がある。ＡＰＩフッキング技術も、具現方式によって特定のＡＰＩのみでフッキングコードが実行され得る。しかしながら、本発明の実施形態に係るローカル保存防止モジュール２５３は、フィルタードライバーの形態で具現されて、カーネルモードでフィルタリングを行う。すなわち、ローカル保存防止モジュール２５３は、すべてのプロセスでメモリを共有する。したがって、フッキングコードをインジェクションする過程が不要であり、ユーザモードでインジェクション失敗によってＦｉｌｅ  Ｉ／Ｏをフィルタリングしないような問題が発生しない。したがって、セキュリティホールを最小化できる利点がある。さらに、ＭＳ社のウィンドウのような運営体制は、安定性のためにユーザモードとカーネルモードを区分して管理し、ユーザモードでは、カーネルレベルメモリにアクセスできない。ローカル保存防止モジュール２５３は、カーネルモードで動作するので、運営体制の安全性を高めることができる。これは、ユーザモードフィルター方式に比べて他のセキュリティ製品、例えば、ワクチンプログラム等との衝突問題を最小化することができる。さらに、ユーザモードでインジェクションを通したフィルタリング技術は、相対的にメモリアクセスが自由であるので、悪性行為に対して脆弱であるが、ローカル保存防止モジュール２５３は、カーネルモードで動作するので、悪性コードに対して強靭な特性を有する。
【００７１】
ネットワークドライバー連結モジュール２５５は、ファイルをネットワーク保存領域に保存するようにする役割を行う。ネットワークドライバー連結モジュール２５５は、通信部２１０を介してネットワーク保存領域の複数のネットワークディスクのうち当該ユーザ装置２００に割り当てられたネットワークディスクのリンクあるいはアドレスを受信することができる。その後、ネットワークドライバー連結モジュール２５５は、ネットワークディスクのリンクあるいはアドレスを介して当該ネットワークディスクとのリンクを連結する。これに伴い、ローカル保存防止モジュール２５３は、ネットワークドライバー連結モジュール２５５を参照して、プログラムリストに含まれたアプリケーションのファイルおよび／または拡張子リストに含まれた拡張子を有するファイルを連結されたネットワークディスクに保存することができる。ネットワークドライバー連結モジュール２５５は、ネットワークファイルシステムドライバーの形態で具現され得る。ウィンドウ運営体制のＬＡＮ  Ｍａｎａｇｅｒ  Ｒｅｄｉｒｅｃｔｏｒ基盤ウィンドウネットワークファイルシステムは、ＬＡＮ  Ｍａｎａｇｅｒ  Ｓｅｒｖｅｒ、Ｓａｍｂａ  Ｓｅｒｖｅｒ基盤システムとの通信のみが可能である。しかしながら、ネットワークドライバー連結モジュール２５５は、ネットワークファイルシステムドライバー形態で具現されて、ネットワークドライバー連結モジュール２５５専用の分散ファイルシステムが適用された中央サーバー１００のネットワークディスクと連結して通信することができる。これを通じて、ローカル領域、保存部２４０に臨時ファイルが生成されず、セキュリティの観点からさらに安全である。
【００７２】
また、図示してはいないが、本発明の実施形態に係るユーザ装置２００は、メモリカードのような外部保存媒体を挿入してデータ保存を可能になる保存媒体挿入部、外部デジタル機器とのデータ交換のための連結端子、充電用端子を具備することができる。また、ユーザ装置２００は、マイクおよびスピーカーを介してオーディオ信号、音声信号などを入力あるいは出力するオーディオ処理部などの付加機能を有する機能付属を選択的にさらに含んで構成され得る。デジタル機器のコンバージェンス（ｃｏｎｖｅｒｇｅｎｃｅ）傾向によって携帯機器の変形が非常に多様であるので、全部列挙することはできないが、上記に言及されたユニットと同等な水準のユニットが本発明によるユーザ装置２００に追加にさらに含まれて構成され得ることは、この技術分野における通常の知識を有する者なら容易に理解することができる。
【００７３】
次に、本発明の実施形態に係るＬＡＮブーティング環境基盤ファイルセキュリティおよび中央化のための方法を説明することとする。図４は、本発明の実施形態に係るＬＡＮブーティング環境基盤ファイルセキュリティおよび中央化のための方法を説明するためのフローチャートである。また、図５は、本発明の実施形態に係るＬＡＮブーティング環境基盤ファイルセキュリティおよび中央化のための方法を説明するための画面例である。
【００７４】
図４を参照すると、中央サーバー１００およびユーザ装置２００は、段階Ｓ１００で、ユーザ装置２００に対してＬＡＮブーティングを行う。このような段階Ｓ１００は、段階Ｓ１１０〜段階Ｓ１４０で行われ、より詳しく説明すると、次のとおりである。ユーザの操作によりユーザ装置２００の制御部２５０は、入力部２２０を介してユーザの入力を感知すると、制御部２５０のＬＡＮブーティング支援モジュール１５１は、段階Ｓ１１０で、ＬＡＮブーティング開始要請メッセージを通信部２１０を介して中央サーバー１００に伝送してＬＡＮブーティングを要請する。この際、ＬＡＮブーティング開始要請メッセージは、ユーザ装置の情報を含むことができる。ユーザ装置の情報は、ユーザ装置２００のＩＰ、ＭＡＣ  Ａｄｄｒｅｓｓ等のアドレス情報および運営体制バージョン、プログラムバージョン等のバージョン情報を含む。このようなユーザ装置の情報は、あらかじめ伝送されて、中央サーバー１００の保存モジュール１２０にあらかじめ保存されることもできる。
【００７５】
中央サーバー１００制御モジュール１３０のＬＡＮブーティング管理モジュール１３１は、通信モジュール１１０を介してＬＡＮブーティング開始要請メッセージを受信すると、段階Ｓ１２０で、ユーザ装置の情報によって保存モジュール１２０に保存された複数のＯＳイメージのうちユーザ装置２００に使用可能なＯＳイメージを選択する。次に、ＬＡＮブーティング管理モジュール１３１は、段階Ｓ１３０で、通信モジュール１１０を介して当該ＯＳイメージ、ローカル保存防止モジュール２５３およびネットワークドライバー連結モジュール２５５をユーザ装置２００に伝送する。
【００７６】
ユーザ装置２００の制御部２５０は、通信部２１０を介してＯＳイメージ、ローカル保存防止モジュール２５３およびネットワークドライバー連結モジュール２５５を受信すると、ローカル保存防止モジュール２５３およびネットワークドライバー連結モジュール２５５を設置した後、制御部２５０のＬＡＮブーティング支援モジュール１５１は、段階Ｓ１４０で、受信されたＯＳイメージを用いてブーティングを行う。すなわち、ＬＡＮブーティング支援モジュール２５１は、ＬＡＮブーティングを行う。
【００７７】
前述したＬＡＮブーティングが完了すると、中央サーバー１００およびユーザ装置２００は、段階Ｓ２００で、ユーザ装置２００に対してセキュリティ機能を行う。このような段階Ｓ２００は、段階Ｓ２１０〜段階Ｓ２３０で行われ、より詳しく説明すれば、次のとおりである。
【００７８】
制御部２５０のローカル保存防止モジュール２５３は、段階Ｓ２１０で、通信部２１０を介してプログラムリストおよび拡張子リストのうち少なくとも一つを要請するセキュリティリスト要請メッセージを中央サーバー１００に伝送する。ここで、ローカル保存防止モジュール２５３は、フィルタードライバーの機能を行う。
【００７９】
中央サーバー１００制御モジュール１３０のファイル中央化管理モジュール１３３は、ユーザ装置２００から通信モジュール１１０を介してセキュリティリスト要請メッセージを受信すると、ユーザ装置２００に対応するプログラムリストおよび拡張子リストのうち少なくとも一つを保存モジュール１２０に保存されたデータベースから引き出す。その後、ファイル中央化管理モジュール１３３は、段階Ｓ２２０で、引き出されたプログラムリストおよび拡張子リストのうち少なくとも一つを通信モジュール１１０を介してユーザ装置２００に伝送する。
【００８０】
ユーザ装置２００制御部２５０のローカル保存防止モジュール２５３は、プログラムリストおよび拡張子リストのうち少なくとも一つを通信部２１０を介して受信すると、段階Ｓ２３０で、プログラムリストおよび／または拡張子リストによりセキュリティ機能を行う。すなわち、ローカル保存防止モジュール２５３は、プログラムリストに含まれたアプリケーションの機能のうち情報が流出する機能を遮断する。また、ローカル保存防止モジュール２５３は、拡張子リストに含まれた拡張子を有するファイルの情報が流出することを遮断する。次に、このようなセキュリティ機能の具体的な例について説明することとする。
【００８１】
ローカル保存防止モジュール２５３は、プログラムリストに含まれたアプリケーションが実行されて当該アプリケーションのファイルがネットワーク保存領域以外の領域に保存されることを遮断する機能を行う。ここで、ネットワーク保存領域以外の領域は、ユーザ装置２００の保存部２４０をはじめとしてユーザ装置２００に連結されたメモリカードのような外部保存媒体を含む。例えば、ＭＳ社の「ＰｏｗｅｒＰｏｉｎｔ」がプログラムリストに属すると仮定する。その後、ローカル保存防止モジュール２５３は、ＰｏｗｅｒＰｏｉｎｔが実行により生成されるファイル（例えば、拡張子が「ｐｐｔ」、「ｐｐｔｘ」等であるファイルニド）がネットワーク保存領域以外の領域に保存されることを遮断する機能を行う。また、ローカル保存防止モジュール２５３は、プログラムリストに含まれたアプリケーションが実行されて表示部２３０を介して表示されるとき、表示された領域に対するクリップボードコピー（例えば、ｃｔｒｌ＋ｃ）およびスクリーンキャプチャー（例えば、Ｐｒｔ  ｓｃ）等を遮断する。そして、ローカル保存防止モジュール２５３は、プログラムリストに含まれたアプリケーションが実行されて、アプリケーションの付加機能を介してファイルを添付して伝送する動作を遮断する。例えば、図５を参照すると、ブラウザプログラム、メールアプリケーションあるいはメッセンジャーアプリケーションがプログラムリストに属すると仮定する。当該アプリケーションは、付加機能としてファイルあるいはリンクを添付して伝送する機能を有すると仮定する。したがって、ローカル保存防止モジュール２５３は、当該アプリケーションのファイルあるいはリンクを添付して伝送する機能を遮断する。
【００８２】
ローカル保存防止モジュール２５３は、拡張子リストに含まれた拡張子を有するファイルがネットワーク保存領域以外の領域に保存されることを遮断する機能を行う。前述したように、ネットワーク保存領域以外の領域は、ユーザ装置２００の保存部２４０をはじめとしてユーザ装置２００に連結されたメモリカードのような外部保存媒体を含む。例えば、拡張子が「ｐｐｔ」であるファイルが拡張子リストに属すると仮定する。その後、ローカル保存防止モジュール２５３は、拡張子が「ｐｐｔ」であるファイルがネットワーク保存領域以外の領域に保存されることを遮断する機能を行う。また、ローカル保存防止モジュール２５３は、拡張子リストに含まれた拡張子を有するファイル（例えば、拡張子が「ｐｐｔ」であるファイル）が表示部２３０を介して表示されるとき、表示された領域に対するクリップボードコピー（例えば、ｃｔｒｌ＋ｃ）およびスクリーンキャプチャー（例えば、Ｐｒｔ  ｓｃ）等を遮断する。そして、ローカル保存防止モジュール２５３は、拡張子リストに含まれた拡張子を有するファイルが伝送されることを遮断する。例えば、図５を参照すると、拡張子が「ｐｐｔｘ」であるファイルが拡張子リストに属すると仮定する。その後、ローカル保存防止モジュール２５３は、特定のアプリケーションが拡張子「ｐｐｔｘ」であるファイルあるいは拡張子「ｐｐｔｘ」であるファイルに対するリンクを添付したり、拡張子「ｐｐｔｘ」であるファイルあるいは拡張子「ｐｐｔｘ」であるファイルに対するリンクを伝送することを遮断する。
【００８３】
一方、段階Ｓ２００の後に、段階Ｓ３００が行われるものと図示されたが、段階Ｓ２００のプロセスとは別途のプロセスで時間上並列的に段階Ｓ３００が行われ得る。中央サーバー１００およびユーザ装置２００は、段階Ｓ３００で、ユーザ装置２００がファイルを保存するネットワーク保存領域を提供する。このような段階Ｓ３００は、段階Ｓ３１０〜段階Ｓ３３０で行われ、より詳しく説明すれば、次のとおりである。
【００８４】
ユーザ装置２００制御部２５０のネットワークドライバー連結モジュール２５５は、段階Ｓ３１０で、通信部２１０を介してネットワーク保存領域を要請する保存領域要請メッセージを中央サーバー１００に伝送する。ここで、ネットワークドライバー連結モジュール２５５は、ネットワークファイルシステムドライバーの機能を行う。
【００８５】
中央サーバー１００制御モジュール１３０のファイル中央化管理モジュール１３３は、ユーザ装置２００から通信モジュール１１０を介して保存領域要請メッセージを受信すると、保存モジュール１２０の複数のネットワークディスクのうち利用可能なネットワークディスクを割り当てる。その後、ファイル中央化管理モジュール１３３は、段階Ｓ３２０で、割り当てられたネットワークディスクのリンク（あるいはアドレス）を通信モジュール１１０を介してユーザ装置２００に伝送する。
【００８６】
これに伴い、ユーザ装置２００制御部２５０のネットワークドライバー連結モジュール２５５は、通信部２１０を介して割り当てられたネットワークディスクのリンク（あるいはアドレス）を通信部２１０を介して受信することができる。その後、ネットワークドライバー連結モジュール２５５は、段階Ｓ３３０で、ネットワークディスクのリンク（あるいはアドレス）を介して該当ネットワークディスクを連結する。これに伴い、制御部２５０のローカル保存防止モジュール２５３は、ネットワークドライバー連結モジュール２５５を参照して、プログラムリストに含まれたアプリケーションのファイルおよび拡張子リストに含まれた拡張子を有するファイルを連結されたネットワークディスクに保存することができる。
【００８７】
一方、ファイル中央化管理モジュール１３３は、ユーザ装置２００がネットワークディスクにファイルを保存すると、保存されたファイルに対してバージョンを異ならせて所定の周期でバックアップして保存する。そして、ネットワークディスクに保存されたファイルが削除または変調される場合、ファイル中央化管理モジュール１３３は、削除または変調されたファイルを以前のバージョンのファイルに復旧あるいは復元する。
【００８８】
このように、本発明の実施形態によれば、ユーザ装置２００で生成されるすべてのファイルが、セキュリティが維持されるネットワーク保存領域、すなわち、ネットワークディスクに保存されるようにすることによって、会社の機密事項が流出することを基本的に遮断することができる。
【００８９】
なお、上記で説明された本発明の実施形態で説明された方法は、様々なコンピュータ手段を介して読み取り可能なプログラムの形態で実現され、コンピュータで読み取り可能な記録媒体に記録することが可能である。ここで、記録媒体は、プログラム命令、データファイル、データ構造などを単独でまたは組み合わせて含むことができる。記録媒体に格納されるプログラム命令は、本発明のために特別に設計および構成されたものまたはコンピュータソフトウェアの当業者に公知されて使用可能なもので良い。例えば、記録媒体は、ハードディスク、フロッピーディスクおよび磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気・光媒体（ｍａｇｎｅｔｏ−ｏｐｔｉｃａｌ  ｍｅｄｉａ）、およびロム（ＲＯＭ）、ラム（ＲＡＭ）、フラッシュメモリ等のように、プログラム命令を格納して実行するように構成されたハードウェア装置を含む。プログラム命令の例には、コンパイラによって作成される機械語ワイヤーのみならず、インタープリターなどを用いてコンピュータによって実行可能な高級言語ワイヤーを含むことができる。このようなハードウェア装置は、本発明の動作を行うために一つ以上のソフトウェアモジュールとして作動するように構成することができ、その逆も同様である。
【００９０】
以上、本発明をいくつかの好ましい実施形態を使用して説明したが、これらの実施形態は、例示的なものであり、限定的なものではない。このように、本発明の属する技術分野における通常の知識を有する者なら、本発明の思想と添付の特許請求範囲に提示された権利範囲を逸脱することなく、均等論によって多様な変化と修正を加えることができることを理解することができる。
【符号の説明】
【００９１】
１００…中央サーバー、１１０…通信モジュール、１２０…保存モジュール、１３０…制御モジュール、１３１…ＬＡＮブーティング管理モジュール、１３３…ファイル中央化管理モジュール、２００…ユーザ装置、２１０…通信部、２２０…入力部、２３０…表示部、２４０…保存部、２５０…制御部、２５１…ＬＡＮブーティング支援モジュール、２５３…ローカル保存防止モジュール、２５５…ネットワークドライバー連結モジュール
【図１】
2021513162.tif 000003
【図２】
2021513162.tif 000004
【図３】
2021513162.tif 000005
【図４】
2021513162.tif 000006
【図５】
2021513162.tif 000007
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
ＬＡＮブーティング環境基盤ファイルセキュリティおよび中央化のための中央サーバーにおいて、
複数の運営体制のイメージを保存する保存モジュールと、
ユーザ装置と通信するための通信モジュールと、
前記通信モジュールを介して前記ユーザ装置からＬＡＮブーティング開始要請メッセージを受信すると、ユーザ装置の情報によって前記複数の運営体制のうち前記ユーザ装置で使用可能な運営体制のイメージを選択して、前記通信モジュールを介して選択された運営体制のイメージを伝送するＬＡＮブーティング管理モジュールと,
前記保存モジュールは、前記ユーザ装置がプログラムリストに属するアプリケーションの機能のうち情報が流出する機能を遮断するようにする前記プログラムリスト、および前記ユーザ装置が拡張子リストに含まれた拡張子を有するファイルの情報が流出することを遮断するようにする前記拡張子リストのうち少なくとも一つを含み、
前記中央サーバーは、
前記ユーザ装置からセキュリティリスト要請メッセージを前記通信モジュールを介して受信すると、前記ユーザ装置に対応する前記プログラムリストおよび前記拡張子リストのうち少なくとも一つを前記通信モジュールを介して前記ユーザ装置に伝送するファイル中央化管理モジュールをさらに含むことを特徴とする 中央サーバー。
【請求項２】
前記保存モジュールは、複数のネットワークディスクを含み、
前記中央サーバーは、
前記通信モジュールを介して前記ユーザ装置から保存領域要請メッセージを受信すると、前記複数のネットワークディスクのうち利用可能なネットワークディスクを割り当て、前記割り当てられたネットワークディスクのリンクを前記通信モジュールを介して前記ユーザ装置に伝送し、前記割り当てられたネットワークディスクのリンクを介してユーザ装置と連結して前記割り当てられたネットワークディスクに前記ユーザ装置で生成されたファイルが保存されるようにするファイル中央化管理モジュールをさらに含むことを特徴とする請求項１記載の中央サーバー。
【請求項３】
前記ファイル中央化管理モジュールは
前記ネットワークディスクに保存されたファイルに対してバージョンを異ならせて所定の周期でバックアップし、前記ネットワークディスクに保存されたファイルが削除または変調される場合、削除または変調されたファイルを以前のバージョンのファイルに復旧あるいは復元することを特徴とする請求項２記載の中央サーバー。
【請求項４】
ＬＡＮブーティング環境基盤ファイルセキュリティおよび中央化のためのユーザ装置において、
中央サーバーと通信するための通信部と、
前記中央サーバーから前記通信部を介して運営体制のイメージを受信すると、受信された運営体制のイメージでブーティングを行うＬＡＮブーティング支援モジュールと、
前記ブーティングが完了した後、前記通信部を介してプログラムリストおよび拡張子リストのうち少なくとも一つを受信すると、前記プログラムリストに属するアプリケーションの機能のうち情報が流出する機能を遮断するか、前記拡張子リストに含まれた拡張子を有するファイルの情報が流出することを遮断するローカル保存防止モジュールと、
前記ローカル保存防止モジュールは、
前記プログラムリストに含まれたアプリケーションのファイルあるいは前記拡張子リストに含まれた拡張子を有するファイルがネットワーク保存領域以外の領域に保存されることを遮断するか、
前記プログラムリストに含まれたアプリケーションあるいは前記拡張子リストに含まれた拡張子を有するファイルに対するクリップボードコピーおよびスクリーンキャプチャーを遮断するか、
前記プログラムリストに含まれたアプリケーションがファイルあるいはファイルのリンクを添付又は伝送する機能を遮断するか、
前記拡張子リストに含まれた拡張子を有するファイルあるいはファイルのリンクが添付又は伝送されることを遮断することを特徴とするユーザ装置。
【請求項５】
前記ローカル保存防止モジュールは、
カーネルモードでファイルＩ／Ｏフィルタリングを行って、前記プログラムリストに含まれたアプリケーションの機能を通した情報流出を遮断するか、前記拡張子リストに含まれた拡張子を有するファイルの情報流出を遮断することを特徴とする請求項４記載のユーザ装置。
【請求項６】
前記ブーティングが完了した後、前記通信部を介して前記中央サーバーからネットワークディスクのリンクを受信すると、前記受信されたネットワークディスクのリンクを介してネットワークディスクに連結して、前記ユーザ装置で生成されたファイルが連結されたネットワークディスクに保存されるようにするネットワークドライバー連結モジュールをさらに含むことを特徴とする請求項４記載のユーザ装置。
【請求項７】
前記ネットワークドライバー連結モジュールは、
前記ネットワークドライバー連結モジュール専用の分散ファイルシステムが適用されたネットワークディスクと連結することを特徴とする請求項６記載のユーザ装置。
【請求項８】
中央サーバーのＬＡＮブーティング環境基盤ファイルセキュリティおよび中央化のための方法において、
ユーザ装置からＬＡＮブーティング開始要請メッセージを受信する段階と、
ユーザ装置の情報によって複数の運営体制のうち前記ユーザ装置で使用可能な運営体制のイメージを選択する段階と、
前記選択された運営体制のイメージを前記ユーザ装置に伝送する段階と、
前記伝送する段階の後に、
前記ユーザ装置からセキュリティリスト要請メッセージを受信すると、前記ユーザ装置がプログラムリストに属するアプリケーションの機能のうち情報が流出する機能を遮断するか、前記ユーザ装置が拡張子リストに含まれた拡張子を有するファイルの情報が流出することを遮断するように、前記プログラムリストおよび前記拡張子リストのうち少なくとも一つを前記ユーザ装置に伝送する段階をさらに含むことを特徴とする方法。
【請求項９】
前記伝送する段階の後に、
前記ユーザ装置から保存領域要請メッセージを受信すると、
前記複数のネットワークディスクのうち利用可能なネットワークディスクを割り当て、前記割り当てられたネットワークディスクのリンクを前記ユーザ装置に伝送する段階と、
前記割り当てられたネットワークディスクに前記ユーザ装置で生成されたファイルが保存されるように前記割り当てられたネットワークディスクのリンクを介してユーザ装置と連結する段階と、をさらに含むことを特徴とする請求項８記載の方法。
【請求項１０】
前記連結する段階の後に、
前記ネットワークディスクに保存されたファイルに対してバージョンを異ならせて所定の周期でバックアップする段階と、
前記ネットワークディスクに保存されたファイルが削除または変調される場合、削除または変調されたファイルを以前のバージョンのファイルに復旧あるいは復元する段階と、をさらに含むことを特徴とする請求項９記載の方法。
【請求項１１】
ユーザ装置のＬＡＮブーティング環境基盤ファイルセキュリティおよび中央化のための方法において、
中央サーバーから運営体制のイメージを受信する段階と、
前記受信された運営体制のイメージでブーティングを行う段階と、
前記ブーティングが完了した後、プログラムリストおよび拡張子リストのうち少なくとも一つを受信する段階と、
前記プログラムリストに属するアプリケーションの機能のうち情報が流出する機能を遮断するか、前記拡張子リストに含まれた拡張子を有するファイルの情報が流出することを遮断する段階と、
前記遮断する段階は、
前記プログラムリストに含まれたアプリケーションのファイルあるいは前記拡張子リストに含まれた拡張子を有するファイルがネットワーク保存領域以外の領域に保存されることを遮断するか、
前記プログラムリストに含まれたアプリケーションあるいは前記拡張子リストに含まれた拡張子を有するファイルに対するクリップボードコピーおよびスクリーンキャプチャーを遮断するか、
前記プログラムリストに含まれたアプリケーションがファイルあるいはファイルのリンクを添付又は伝送する機能を遮断するか、
前記拡張子リストに含まれた拡張子を有するファイルあるいはファイルのリンクが添付又は伝送されることを遮断することを特徴とする方法。
【請求項１２】
前記遮断する段階は、
カーネルモードでファイルＩ／Ｏフィルタリングを行って、前記プログラムリストに含まれたアプリケーションの機能を通した情報流出を遮断するか、前記拡張子リストに含まれた拡張子を有するファイルの情報流出を遮断することを特徴とする請求項１１記載の方法。
【請求項１３】
前記ブーティングを行う段階の後に、
前記中央サーバーからネットワークディスクのリンクを受信する段階と、
前記受信されたネットワークディスクのリンクを介してネットワークディスクに連結する段階と、
前記ユーザ装置でファイルが生成されると、前記生成されたファイルを前記連結されたネットワークディスクに保存する段階と、をさらに含むことを特徴とする請求項１１記載の方法。
【請求項１４】
前記連結する段階は、
ネットワークファイルシステムドライバーであるネットワークドライバー連結モジュールを設置して、前記ネットワークドライバー連結モジュール専用の分散ファイルシステムが適用されたネットワークディスクと連結することを特徴とする請求項１３記載の方法。
【請求項１５】
請求項８乃至１０のいずれかに記載の中央サーバーのＬＡＮブーティング環境基盤ファイルセキュリティおよび中央化のための方法を行うためのプログラムが記録されたコンピュータ読み取り可能な記録媒体。
【請求項１６】
請求項１１乃至１４のいずれかに記載のユーザ装置のＬＡＮブーティング環境基盤ファイルセキュリティおよび中央化のための方法を行うためのプログラムが記録されたコンピュータ読み取り可能な記録媒体。
【国際調査報告】
2021513162.tif 000008
2021513162.tif 000009
2021513162.tif 000010
2021513162.tif 000011